(57)【要約】【課題】本発明は、異種混合物の封入パックおよび異種混合物の封入パックへの充填方法に関し、例えば粉状体または固状体と混合液との異種混合物が袋本体に設けた複数個の小形な内袋部内に所要量づつ個別に充填、収容されることにより取扱い、運搬・保管を簡便になしているが、使用時には収納している内袋部を破って直ちに両者を袋本体内に混合し、使用に供するものである。【解決手段】柔軟性と撥水性とを有する柔軟シートＳにより袋本体１が形成され、該袋本体は外袋部２Ａ（２Ａ1,２Ａ2）と内袋部２Ｂとよりなる密封可能な二重袋構造に形成され、前記外袋部内に粉状体Ｐ、または粒状体、固状体の何れかを所望量封入し、前記内袋部は破砕可能になし、内部には前記粉状体、または粒状体、固状体の何れかに混合可能に混合液Ｗを所望量封入する。【選択図】図１
2005067717.tif 000002
【特許請求の範囲】
【請求項１】
柔軟性と撥水性とを有する柔軟シートにより袋本体が形成され、該袋本体は外袋部と内袋部とよりなる密閉可能な二重袋構造に形成され、前記外袋部内に粉状体、または粒状体、固状体の何れかを所望量封入し、前記内袋部は破砕可能となして内部には前記粉状体、または粒状体、固状体の何れかに混合可能に混合液を所望量封入することを特徴とした異種混合物の封入パック。
【請求項２】
前記袋本体は、ポリアミド樹脂、ポリエチレン樹脂、ポリエチレンテレフタレート樹脂、ポリプロピレン樹脂、塩化ビニール樹脂、塩化ビニリデン樹脂よりなる１種、もしくは複数の組み合わせよりなる共重合樹脂の熱可塑性合成樹脂、不織布、アルミ箔から選ばれる１つ以上の材料の組み合わせによりなる柔軟シートにより形成されることを特徴とする請求項１に記載の異種混合物の封入パック。
【請求項３】
前記内袋部は、前記袋本体の内部を横方向に適宜数ｎの数段または縦方向に適宜数ｎ′の数列の中シール部を配列することにより前記外袋部に対して小形に区分して内設されることを特徴とする請求項１,請求項２に記載の異種混合物の封入パック。
【請求項４】
前記中シール部または袋本体の所望側端に配置される内容物投入用開口部とは熱シール、高周波溶着等の適宜固着手段により封緘されることを特徴とする請求項１,請求項２,請求項３,請求項４に記載の異種混合物の封入パック。
【請求項５】
粉状体、または粒状体、固状体が封入される前記外袋部は、必要に応じて適宜側縁部に外袋部の内外を開閉する弁体が装着されることを特徴とする請求項１,請求項２,請求項３,請求項４に記載の異種混合物の封入パック。
【請求項６】
前記粉状体、または粒状体、固状体は、セメントと骨材、石膏等の水硬性材料であるか、粉末土、農薬、練り餌、顔料、染料、食用粉であるのに対して前記液状体は水であることを特徴とする請求項１,請求項２,請求項３,請求項４,請求項５,請求項６に記載の異種混合物の封入パック。
【請求項７】
柔軟性と撥水性とを有する柔軟シートにより形成される袋本体内に区分した外袋部と内袋部とよりなる密封可能な二重袋構造に形成される前記外袋部内に粉状体、または粒状体、固状体の何れかと混合液との異種混合物を充填する異種混合物の封入パックへの充填方法において、粉状体、または粒状体、固状体の何れかと混合液とを対向する異方向から充填する時に、先ず内袋部内に混合液を充填する工程と、次いで該内袋部の内容物投入用開口部を封緘する工程と、その後袋本体を倒立し、外袋部内に紛状体、または粒状体、固状体の何れかを充填、収容し、内容物投入用開口部を封緘し、袋本体内に粉状体、または粒状体、固状体の何れかと混合液とを個別に梱包することを特徴とする異種混合物の封入パックへの充填方法。
【請求項８】
柔軟性と撥水性とを有する柔軟シートにより形成される袋本体内に区分した外袋部と内袋部とよりなる密封可能な二重袋構造に形成される前記外袋部内に粉状体、または粒状体、固状体の何れかと混合液との異種混合物を充填する異種混合物の封入パックへの充填方法において、粉状体、または粒状体、固状体の何れかと混合液とを同方向から充填する時に、前記外袋部内に紛状体、または粒状体、固状体の何れかを充填、収容する工程と、次いで内袋部内に混合液を充填、収容する工程と、さらに上方の内容物投入用開口部を封緘し、袋本体内に粉状体、または粒状体、固状体の何れかと混合液とを個別に梱包することを特徴とする異種混合物の封入パックへの充填方法。
【発明の詳細な説明】
【技術分野】
【０００１】
本発明は、異種混合物の封入パックおよび異種混合物の封入パックへの充填方法に関し、例えば粉状体または固状体と混合液との異種混合物が袋本体に設けた複数個の小形な内袋部内に所要量づつ個別に充填、収容されることにより取扱い、運搬・保管を簡便になしているが、使用時には収納している内袋部を破って直ちに両者を袋本体内に混合し、使用に供するものである。
【背景技術】
【０００２】
従来、セメント、石膏等の水硬性材料は、工場において例えばクラフト紙等の紙類、基体としての紙に合成樹脂を積層した積層体、合成樹脂ビニール等により形成される所望の大きさの袋内に計量された所望量づつが梱包され、販売店の店頭に陳列される等することにより販売が行われていた。そして、使用時には、例えばセメントは、袋を開封して外部に取り出されてから、セメントと、砂、砂利、高炉スラグ等の骨材と、水とを所定割合づつ現場にて混合し、混練することにより使用に供されていた。
【０００３】
このように、生産時、販売時、保管時、運搬時には取り扱いの便宜と変質を防止するためにセメント等の内容物は骨材や水とは個別に梱包されるが、使用時において初めて現場にて混合されることにより、使用に供されていた。
【０００４】
また、異種混合物としては、上述のセメント、石膏等の水硬性材料のほかに、例えば農薬、練り餌、粘土を形成する粉末土、塗料、食用粉等がある。
【特許文献１】特開２０００−２８９７５０号公報
【発明の開示】
【発明が解決しようとする課題】
【０００５】
しかしながら、例えばセメントは、工場において生産されると、例えばクラフト紙等の紙類、基体としての紙に合成樹脂を積層した積層体、合成樹脂ビニール等により形成された所望の大きさの袋内に計量後に梱包され、販売、保管、運搬等が行われ、購入後の使用時には、袋を開封してから外部に取り出される。そして、セメントと、砂、砂利等の骨材と、水とを所定割合づつに混合し、混練することにより、使用に供される。
【０００６】
この時、セメントに対する骨材および水の混合割合が多い場合には柔らか過ぎて流動性に富み、反対に水の混合割合が少ない場合には硬過ぎる等してワーカビリチーが良くなく取り扱い難い。また、使用する骨材の大きさ、材質等の選定等も難しく、混練時間や打設後の硬化時間が長短変化し、一定しない等、多大に影響するため、専門家や経験者に頼ることが大きく、素人では容易に調整を行うことが難しかった。しかも、コンクリートとして養生・固化後においてもひび割れやかけを生じ易くなり、しかも引っ張り、圧縮等の強度を充分に発揮することができなかった。
【０００７】
本発明は上記従来の不都合を解決し、紛状体、または粒状体、固状体の何れかと混合液とよりなる異種混合物を生産時に予め二重袋構造の袋本体に設けられる外袋部と内袋部に個々に所定量づつ充填、収容し、使用時に内袋部を破砕して素人でも直ちに所定割合を混合して使用に供することにより取り扱い易く、また使用に適する大きさ、材質が得られ、常時混練時間や硬化時間も一定して調整が容易に行え、以て信頼度が高い効能を発揮し得る異種混合物の封入パックおよび異種混合物の封入パックへの充填方法を提供することを目的とする。
【課題を解決するための手段】
【０００８】
本発明は上記課題に鑑みなされたものであり、請求項１に記載の発明は、柔軟性と撥水性とを有する柔軟シートにより袋本体が形成され、該袋本体は外袋部と内袋部とよりなる密封可能な二重袋構造に形成され、前記外袋部内に粉状体、または粒状体、固状体の何れかを所望量封入し、前記内袋部は破砕可能となして内部には前記粉状体、または粒状体、固状体の何れかに混合可能に混合液を所望量封入することを特徴としたという手段を採用した。
【０００９】
また、本発明の請求項２に記載の発明は、請求項１において、前記袋本体は、ポリアミド樹脂、ポリエチレン樹脂、ポリエチレンテレフタレート樹脂、ポリプロピレン樹脂、塩化ビニール樹脂、塩化ビニリデン樹脂よりなる１種、もしくは複数の組み合わせよりなる共重合樹脂の熱可塑性合成樹脂、不織布、アルミ箔から選ばれる１つ以上の材料の組み合わせによりなる柔軟シートにより形成されることを特徴とするという手段を採用した。
【００１０】
また、本発明の請求項３に記載の発明は、請求項１,請求項２において、前記内袋部は、前記袋本体の内部を横方向に適宜数ｎの数段または縦方向に適宜数ｎ′の数列の中シール部を配列することにより前記外袋部に対して小形に区分して内設されることを特徴とするという手段を採用した。
【００１１】
また、本発明の請求項４に記載の発明は、請求項１,請求項２,請求項３,請求項４において、前記中シール部または袋本体の所望側端に配置される内容物投入用開口部とは熱シール、高周波溶着等の適宜固着手段により封緘されることを特徴とするという手段を採用した。
【００１２】
また、本発明の請求項５に記載の発明は、請求項１,請求項２,請求項３,請求項４において、粉状体、または粒状体、固状体が封入される前記外袋部は、必要に応じて適宜側縁部に外袋部の内外を開閉する弁体が装着されることを特徴とするという手段を採用した。
【００１３】
また、本発明の請求項６に記載の発明は、請求項１,請求項２,請求項３,請求項４,請求項５において、前記粉状体、または粒状体、固状体は、セメントと骨材、石膏等の水硬性材料であるか、粉末土、農薬、練り餌、顔料、染料、食用粉であるのに対して前記液状体は水であることを特徴とするという手段を採用した。
【００１４】
また、本発明の請求項７に記載の発明は、柔軟性と撥水性とを有する柔軟シートにより形成される袋本体内に区分した外袋部と内袋部よりなる密封可能な二重袋構造に形成される前記外袋部内に粉状体、または粒状体、固状体の何れかと混合液との異種混合物を充填する異種混合物の封入パックへの充填方法において、粉状体、または粒状体、固状体の何れかと混合液とを対向する異方向から充填する時に、先ず内袋部内に混合液を充填する工程と、次いで該内袋部の内容物投入用開口部を封緘する工程と、その後袋本体を倒立し、外袋部内に紛状体、または粒状体、固状体の何れかを充填し、内容物投入用開口部を封緘し、袋本体内に粉状体、または粒状体、固状体の何れかと混合液とを個別に梱包することを特徴とするという手段を採用した。
【００１５】
また、本発明の請求項８に記載の発明は、柔軟性と撥水性とを有する柔軟シートにより形成される袋本体内に区分した外袋部と内袋部とよりなる密封可能な二重袋構造に形成される前記外袋部内に粉状体、または粒状体、固状体の何れかと混合液との異種混合物を充填する異種混合物の封入パックへの充填方法において、粉状体、または粒状体、固状体の何れかと混合液とを同方向から充填する時に、前記外袋部内に紛状体、または粒状体、固状体の何れかを充填する工程と、次いで内袋部内に混合液を充填、収容する工程と、さらに上方の内容物投入用開口部を封緘し、袋本体内に粉状体、または粒状体、固状体の何れかと混合液とを個別に梱包することを特徴とするという手段を採用した。
【発明の効果】
【００１６】
二重袋構造に形成される袋本体に設けられる外袋部と内袋部に紛状体、または粒状体、固状体と混合液とよりなる異種混合物を生産時に予め個々に所望量づつ充填、収納しておき、使用時に内袋部を破砕することにより素人でも直ちに所定割合を混合して使用に供することができ、取り扱いが簡便になる。また、使用に適する大きさ、材質が得られ、常時混練時間や硬化時間も一定して調整が容易に行え、以て信頼度が高い効能を発揮することができる。
【発明を実施するための最良の形態】
【００１７】
以下本発明の詳細を図面に従って実施の形態の具体例につき説明する。
【００１８】
以下、本発明の実施形態１を述べると、図１は、本発明の異種混合物の封入パックの実施形態１を示す部分切欠斜視図、図２は同じく袋本体の上下に配置される内容物投入用開口部が開口している状態を示す斜視図、図３は同じく内容物を袋本体内に充填、収容する状態を示す断面図、図４は縦断面図である。
【００１９】
本実施形態１は内容物として所定割合のセメントおよび骨材と、水との異種混合物を梱包する場合に適用したものであり、１は袋本体であり、この袋本体１は柔軟性と撥水性とを有する柔軟シートＳにより外袋部２Ａと内袋部２Ｂとよりなる密封可能な二重袋構造に形成される。また、この袋本体１は、例えばポリアミド樹脂、ポリエチレン樹脂、ポリエチレンテレフタレート樹脂、ポリプロピレン樹脂、塩化ビニール樹脂、塩化ビニリデン樹脂よりなる１種、もしくは複数の組み合わせよりなる共重合樹脂の熱可塑性合成樹脂のほか、不織布、アルミ箔から選ばれる１つ以上の材料の組み合わせによりなる柔軟シートＳにより形成される。前記熱可塑性合成樹脂よりなる柔軟シートＳにより袋本体１を形成する場合には、内部を透視して内容物や性状を確認し易くするために、好ましくは透明または半透明の合成樹脂の柔軟シートＳにより形成することが好ましいが、柔軟シートＳはこれに限ることなく例えば内部に充填する内容物を外部から見分けたり、内容物の変質を防止して保存するのに適うように着色されたものを用いて成形されてもよい。
【００２０】
前記外袋部２Ａ内には粉状体Ｐ、または図には示さない粒状体、固状体の何れかを破砕可能に所望量封入する。また、前記内袋部２Ｂ内には前記粉状体Ｐ、または粒状体、固状体の何れかに混合可能に混合液Ｗを破砕可能に所望量封入する。
【００２１】
また、前記内袋部２Ｂは、前記袋本体１の内部を横方向Ｙに適宜数ｎ、本実施形態１では図１に示すように１段の中シール部３を配列することにより扁平筒状体をなす前記外袋部２Ａ内に小形に区分して内設される。
【００２２】
この中シール部３は、例えば熱シール、高周波溶着等の適宜固着手段により封緘される。
【００２３】
内容物として、前記粉状体Ｐ、または粒状体、固状体は、本実施形態１では粉状体Ｐがセメントと骨材であるが、このほかに例えば石膏等の水硬性材料であるか、粉末土、農薬、練り餌、顔料、染料、食用粉等がある。また、前記液状体Ｗは水である。
【００２４】
４は袋本体１の所望側端、本実施形態１では上下に配置される内容物投入用開口部であり、この内容物投入用開口部４,４は前記外袋部２Ａを形成すべき、左右の側端が閉鎖された柔軟シートＳよりなる扁平筒状体をなす筒状体２Ａ′内に粉状体Ｐ、粒状体、固状体を充填し、収容後に封緘されるとともに、前記内袋部２Ｂ内に混合水Ｗを充填、収容後は封緘される。
【００２５】
そして、これらの内容物投入用開口部４,４を封緘するためには、例えば熱シール、高周波溶着等の適宜固着手段により封緘される。
【００２６】
そして、本実施形態１において、柔軟性と撥水性とを有する柔軟シートＳにより形成される二重袋構造をなす袋本体１の外袋部２Ａと内袋部２Ｂ内に粉状体Ｐよりなる所定割合のセメントおよび骨材と所定割合の混合液Ｗとを充填、収容するには、図２、図３、図４に示すように対向する異方向から充填する時には、先ず内袋部２Ｂ内に一方（上方に位置する）の内容物投入用開口部４から混合液Ｗとして水を充填する。この際、内袋部２Ｂ内には適量の空気が混合液Ｗと一緒に充填されることにより、袋本体１の外部から破砕圧をかけた場合に内袋部２Ｂ内に封入されている空気の加圧力が一緒に封入されている粉状体Ｐ等に働らくことにより内袋部２Ｂが破砕され易くしておく。
【００２７】
次いで、混合液Ｗが充填、収容された該内袋部２Ｂの上方（一方）の内容物投入用開口部４を熱シール、高周波融着をする等の適宜固着手段を用いて封緘する。その後、袋本体１を倒立し、外袋部２Ａ内に紛状体Ｐよりなる所定割合のセメントおよび骨材を下方に位置していた（他方）の内容物投入用開口部４から充填、収容し、この内容物投入用開口部４を熱シール、高周波融着する等して封緘する。骨材としては、例えば砂、砂利、高炉スラグ、砕石、人工骨材等があげられる。また、これらの骨材の大きさは、使用されるセメントの種類や用途に応じて適当に選定される。
【００２８】
本実施形態１は以上の構成からなり、工場において生産された粉状体Ｐをなす水硬性材料をなすセメントは、計量後、柔軟性と撥水性とを有する柔軟シートＳにより形成される単一の袋本体１内に、内袋部２Ｂとは区分した外袋部２Ａ内に所定割合の骨材と一緒に充填、収容され、また内袋部２Ｂ内には混合液Ｐとして所定割合の水が充填、収容されている。
【００２９】
このように、粉状体Ｐをなすセメントおよび骨材と、混合液Ｗとしての水との異種混合物は、内外二重袋構造をなす袋本体１の外袋部２Ａと内袋部２Ｂ内に個々に充填、収容され、単一の袋本体１内に梱包されるので、販売時、保管時、運搬時での取り扱いが便利になる。
【００３０】
また、袋本体１は、撥水性と柔軟性とを有する熱可塑性合成樹脂等の柔軟シートＳにより形成されているので、外袋部２Ａと内袋部２Ｂ内に個々に充填、収容されている粉状体Ｐのセメントおよび骨材と混合液Ｗとは袋本体１から洩れ出すことなく確実に梱包して保護することができ、しかも、ごみや湿気が外部から外袋部２Ａと,内袋部２Ｂ内に侵入するのが防止される。このため、外袋部２Ａ内に収容されている粉状体Ｐをなすセメントおよび骨材や内袋部２Ｂ内に収容されている混合液Ｗは、性状が変化したり、効能が低下することなく、しかも計量された所定量が減量されることなく確実に梱包が行える。
【００３１】
そして、袋本体１が、合成樹脂の柔軟シートＳにより形成されている場合には、透明または半透明の合成樹脂の柔軟シートＳにより形成すると、内部を透視することができるため、内容物やその性状が袋本体１の外部から確認し易くなる。また、袋本体１を形成する合成樹脂の柔軟シートＳを着色されたものを用いると、内容物の変質が防止されて保存するのが最適になる。
【００３２】
そして、使用時には、例えば現場において柔軟シートＳによりなる内袋部２Ｂに外部から圧力をかけて破砕すると、この内袋部２Ｂ内に充填、収容されている所定割合の混合液Ｗとしての水が外袋部２Ａ内に充填、収容されている所定割合の粉状体Ｐとしてのセメントと骨材に混合される。この際、袋本体１を小刻みに振り動かすことにより所定割合に外袋部２Ａと内袋部２Ｂとに封入されていた水硬性材料よりなるセメントと、骨材と、水とは万遍なく外袋部２Ａ内で揺り動かされて混練される。しかも、内袋部２Ｂ内に水と一緒に封入されていた空気が泡になってその加圧力によりセメントと、骨材と、水とは均一にしかも円滑かつ迅速に混合される。また、セメントと、骨材と、水との混練操作は、袋本体１の外袋部２Ａ内で周囲が囲まれる状態で行われるので、手や衣服を汚すことなく、混練操作を行うことができる。
【００３３】
その後、コンクリートとして使用に供されるが、セメントと、骨材と、水とは所定割合づつ前述のように袋本体１の外袋部２Ａと内袋部２Ｂ内に予め個々に充填、収容されているので、セメントに対する骨材および水の混合割合が水の確保が行えないというような如何なる時、如何なる場所においても常時、一定割合に保証されるため、専門的な知識および経験を有しない者でも適度の流動性と硬さとが発揮され、ワーカビリチーが良くなり取り扱い易くなる。また使用する骨材の大きさ、材質等も選択された常時一定に保証されるので、混練時間や打設後の硬化時間が一定し、ワーカビリチーは優れたものになる。従って、コンクリートを打設し、またその後、養生・固化後された場合に、ひび割れやかけを生ずることなく、しかも引っ張り、圧縮等の強度は充分に高いものが得られる。
【００３４】
図５は本発明の実施形態２である。
【００３５】
この実施形態２では、上下２段に区分された外袋部２Ａ1,２Ａ2と、内袋部２Ｂとにより二重袋構造の袋本体１を形成し、そして、この２段の外袋部２Ａ1,２Ａ2のうち、一方（上方）の外袋部２Ａ1には粉状体Ｐとしてのセメントを収容し、また他方（下方）の袋部部２Ａ2には骨材を個別に梱包して使用時には例えば中シール部３を破砕することにより外袋部２Ａ2内で一緒に混合を行うようにしたものである。
【００３６】
そして、本実施形態２において、水硬性材料としてのセメントと、骨材と、水とを袋本体１内に、充填、収容するのには、先ず、一方（上段）の外袋部２Ａ1内に紛状体Ｐよりなる所定割合のセメントを充填、収容する。この時、中シール部３を袋本体１の柔軟シートＳにより形成された扁平な筒状体２Ａ′内を横方向Ｙに熱シール、高周波融着する等して封緘することにより一方（上段）の外袋部２Ａ1と他方（下段）の外袋部２Ａ2となるべき個所は区画され、しかも袋本体１の上下には内容物投入用開口部４,４が開口されている。
【００３７】
次いで、内袋部２Ｂ内に一方（袋本体１の上方に位置する）の内容物投入用開口部４から混合液Ｗとしての水を充填する。この際、内袋部２Ｂ内には適量の空気を混合液Ｗと一緒に充填し、袋本体１を使用時に加圧した場合に内袋部２Ｂが破砕され易くしておくと便利である。
【００３８】
それから、熱シール、高周波融着する等して（上方の）内容物投入用開口部４を封緘し、その後、袋本体１を倒立する。そして、下段の外袋部２Ａ2内に骨材を充填収容し、他方（下方に位置していた）内容物投入用開口部４を熱シール、高周波融着する等して封緘して充填、収容作業を終了する。
【００３９】
さらに本実施形態２としては、単一の袋本体１は上下２段の外袋部２Ａ1,２Ａ2と内袋部２Ｂとによりなる二重袋構造に形成されるので、例えば袋本体１内に充填、収容する内容物としては水硬性材料よりなるセメントと、骨材と、水とに限ることなく、袋本体１の内袋部２Ｂ内には粉状体Ｐとして、例えば染料または顔料を充填、収容し、しかも、上下２段の外袋部２Ａ1,２Ａ2内には、例えば前記染料または顔料に対する混合液Ｗとして例えば種類、濃度等が異なる個別の溶剤を充填、収容する等、２液混合タイプの塗料等を梱包するのに有益である点のほかは、前記実施形態１と同様の構成、作用である。
【００４０】
また、図６、図７は本発明の実施形態３である。
【００４１】
この実施形態では、柔軟性と撥水性とを有する柔軟シートＳにより形成される袋本体１内に区分した外袋部２Ａと内袋部２Ｂとよりなる密封可能な二重袋構造に形成される前記外袋部２Ａ内に、粉状体Ｐ、または粒状体、固状体の何れかと混合液Ｗとの異種混合物を充填するのに、粉状体Ｐ、または粒状体、固状体の何れかと混合液Ｗとを同方向から充填するものである。
【００４２】
そして、この実施形態において、内容物を二重袋構造の袋本体１内に梱包するには、先ず前記外袋部２Ａ内に紛状体Ｐ、または粒状体、固状体の何れかを充填する。次いで内袋部２Ｂ内に混合液Ｗを充填、収容する。この時、粉状体Ｐが充填、収容された外袋部２Ａの充填、収容部分（図７において下方部）を押潰して下方の内容物投入用開口部４を矢印Ａに示されるように上方へと折り曲げることにより、外袋部２Ａ内において粉状体Ｐに対して混在される空気を外袋部２Ａの外部に押し出して後工程により行われる内袋部２Ｂ内に混合液Ｗを充填、収容させ易くしておく。さらに、上方の内容物投入用開口部４を封緘するようにした点が前記実施形態１と異なる構成、作用である。
【００４３】
図８は本発明の実施形態４である。
【００４４】
本実施形態４では、粉状体Ｐ、または粒状体、固状体の何れかが封入される二重袋構造をなす外袋部２Ａは、必要に応じて適宜側縁部２０に外袋部２Ａの内外を開閉する注出口２１ａを有する弁体２１を装着した。そして、本実施形態４に用いる弁体２１としては、例えば逆止手段を施したものが最適に使用される。
【００４５】
また、本実施形態４の袋本体１内に用いられる内容物としては、例えば外袋部２Ａ内に充填、収容される粉状体Ｐは、水和反応により膨張性を発揮する例えば酸化カルシウムを主成分として、二酸化珪素、酸化アルミニウム、三酸化硫黄等の所定割合の混合物が挙げられる。また、内袋部２Ｂ内に充填、収容される混合液Ｗとしては水が充填、収容されるというような膨張性の水硬材を封入する場合等に最適に使用することができる。
【００４６】
なお、本実施形態の二重袋構造物の袋本体１における外袋部２Ａと、内袋部２Ｂとに前記内容物を充填、収容する手順は前記実施形態１と同様の構成、手順により行うようにする。
【００４７】
そして、本実施形態では、二重袋構造の袋本体１の内袋部２Ｂを破砕することにより、この内袋部２Ｂ内に封入されていた混合液Ｗを外袋部２Ａ内において例えば酸化カルシウムを主成分とし、二酸化珪素、酸化アルミニウム、三酸化硫黄等の混合物と水と混合することにより水和反応により膨張性が発揮される流動性を有する膨張材を外袋部２Ａの適宜側縁部２０に装設した弁体２１により制御しながら注出口２１ａから外部に注出させるようにすれば、例えば土木や建築における鉄筋コンクリートやコンクリート二次製品の接合端相互に埋設される鉄筋等の被締着物を膨張材の膨張により生ずるプレストレスおよびプレスにより定着させることができる。
【００４８】
また、袋本体１に用いられる内容物の他例としては、上記説明のほかに例えば外袋部２Ａ内に充填、収容される粉状体Ｐは、軟弱地盤に対する地盤改良材として充填、収容されるグラウト剤があり、また内袋部２Ｂ内には混合液Ｗとして水が充填、収容される場合にも最適に使用することができる。
【００４９】
また、図９は本発明の実施形態５である。
【００５０】
この実施形態５では、柔軟性と撥水性とを有する柔軟シートＳにより外袋部２Ａと内袋部２Ｂとよりなる密封可能な二重袋構造に形成される袋本体１内の外袋部２Ａ内に粉状体Ｐ、または粒状体、固状体と混合液Ｗとの異種混合物を充填するのに、粉状体Ｐ、または粒状体、固状体の何れかと混合液Ｗとを同方向から袋本体１内に充填するものである。
【００５１】
そして、袋本体１内に内容物を充填、収容するには、先ず外袋部２Ａ内に紛状体Ｐ、または粒状体、固状体の何れかを充填する。次いで、内袋部２Ｂ内に混合液Ｗを充填、収容する。さらに、上方の内容物投入用開口部４を封緘するようにした点が前記実施形態３と異なる構成、作用であり、また外袋部２Ａの適宜側縁部２０に外袋部２Ａの内外を開閉する注出口を有する弁体２１を設けた点は前記実施形態４と同様の構成作用である。
【００５２】
図１０は本発明の実施形態６である。
【００５３】
この実施形態６では、前記実施形態５と同様に、柔軟性と撥水性とを有する柔軟シートＳにより外袋部２Ａと内袋部２Ｂとよりなる密封可能に形成される二重袋構造の袋本体１の外袋部２Ａ内に粉状体Ｐ、または粒状体、固状体の何れかと混合液Ｗとの異種混合物を充填するのに、粉状体Ｐ、または粒状体、固状体の何れかと混合液Ｗとを同方向から充填するものである。
【００５４】
そして、袋本体１内に内容物を充填、収容には、先ず外袋部２Ａ内に紛状体Ｐ、または粒状体、固状体の何れかを充填、収容する。次いで内袋部２Ｂ内に混合液Ｗを充填、収容する。さらに、上方の内容物投入用開口部４を封緘する。また外袋部２Ａの適宜側縁部２０に外袋部２Ａの内外を開閉するように設けた弁体２１′を外袋部２Ａの側縁部２０の幅の略全域にわたって設けることにより外袋部２Ａ内で混合された混合液Ｗを、弁体２１′を介して幅広い注出面積にて注出させるようにするほかは前記実施形態５と同様の構成、作用である。
【００５５】
また、図１１は本発明の実施形態７である。
【００５６】
この実施形態では、外袋部２Ａと内袋部２Ｂとよりなる密封可能に形成される二重袋構造の袋本体１の外袋部２Ａと内袋部２Ｂとを横方向Ｙに複数個、図１１では４組を、縦方向Ｘに配した中シール部３′,３′,３′に設けた切離手段３０を介して切り離し可能に一連に設けることにより、使用時には切離手段３０にて１組づつ他組の外袋部２Ａおよび内袋部２Ｂから切り離して内袋部２Ｂ内に充填、収容した混合液Ｗと、外袋部２Ａ内に充填、収容した粉状体Ｐ、粒状体、固状体の何れかとを混合して使用に供するようにしたほかは、前記第１実施形態と同様の構成、作用である。
【００５７】
さらに、図１２は本発明の実施形態８である。
【００５８】
この実施形態では、縦方向Ｘに配した中シール部３′により外袋部２Ａと、該外袋部２Ａ内に区分された内袋部２Ｂとにより二重袋構造の袋本体１を形成することにより、この外袋部２Ａ内に紛状体Ｐ、または粒状体、固状体の何れかを充填、収容し、次いで内袋部２Ｂ内に同方向から混合液Ｗを充填、収容し、内容物投入用開口部４を封緘するようにした点が前記第実施形態３と異なる構成、作用である。
【００５９】
上記説明では実施形態１として外袋部２Ａ内に充填、収容される粉状体Ｐが、水硬性材料としてのセメントと骨材であり、しかも内袋部２Ｂ内に充填、収容される混合液Ｗが水であり、また実施形態２では、袋本体１の内袋部２Ｂ内には粉状体Ｐとして、例えば染料または顔料の何れかを充填、収容し、しかも上下２段の外袋部２Ａ1,２Ａ2内には、例えば染料または顔料に対する混合液として例えば種類、濃度等が異なる個別の溶剤を充填、収容する等の２液混合タイプの塗料等を梱包し、また、実施形態４では袋本体１内に用いられる内容物は、例えば外袋部２Ａ内に粉状体Ｐとして水和反応により膨張性を発揮する例えば酸化カルシウムを主成分とした二酸化珪素、酸化アルミニウム、三酸化硫黄等の混合物が挙げられ、また、内袋部２Ｂ内には混合液Ｗとして水を充填、収容することにより膨張性の水硬材を封入する場合を代表的に説明したが、上記説明は代表的な例示であり、内容物として粉状体Ｐに限ることなく、例えば粒状体、固状体の何れかでもよい。そして、粉状体Ｐ、粒状体、固状体として例えばセメント、骨材のほか、例えば石膏等の水硬性材料があるほか、粉末土、農薬、練り餌、食用粉等があり、また液状体Ｗは水のほか、有機溶剤等があげられる。
【００６０】
また、図示する上記各実施形態は例示であり、二重袋構造をなす外袋部２Ａと該外袋部２Ａ内に区分して設けられる内袋部２Ｂとは、設置個数が増減変更がされたり、また大きさは本発明の目的を逸脱しない範囲で自由に設定することができる。
【産業上の利用可能性】
【００６１】
紛状体、または粒状体、固状体の何れかと混合液とよりなる異種混合物を生産時に予め二重袋構造の袋本体に設けられる外袋部と内袋部とに個々に所定量づつ充填、収容し、そして、使用時に内袋部を破砕して専門的な知識と経験を有しない者でも直ちに所定割合を混合して使用に供することができ、取り扱い易くなり、また使用に適する大きさ、材質のものが容易に得られ、常時混練時間や硬化時間が一定する等の調整が容易に行え、以て信頼度が高い効能を発揮し得るという分野、用途に適用することができる。
【図面の簡単な説明】
【００６２】
【図１】図１は、本発明の異種混合物の封入パックを示す実施形態１を示す部分切欠斜視図である。
【図２】図２は同じく袋本体の上下に配置される内容物投入用開口部が開口している状態を示す斜視図である。
【図３】図３は同じく内容物を袋本体内に充填、収容する状態を示す断面図である。
【図４】図４は縦断面図である。
【図５】図５は同じく本発明の異種混合物の封入パックを示す実施形態２を示す断面図である。
【図６】図６は同じく本発明の異種混合物の封入パックを示す実施形態３を示す断面図である。
【図７】図７は同じく縦断面図である。
【図８】図８は同じく本発明の異種混合物の封入パックを示す実施形態４を示す断面図である。
【図９】図９は同じく本発明の異種混合物の封入パックを示す実施形態５を示す断面図である。
【図１０】図１０は同じく本発明の異種混合物の封入パックを示す実施形態６を示す断面図である。
【図１１】図１１は同じく本発明の異種混合物の封入パックを示す実施形態７を示す断面図である。
【図１２】図１２は同じく本発明の異種混合物の封入パックを示す実施形態８を示す断面図である。
【符号の説明】
【００６３】
１        袋本体
２Ａ      外袋部
２Ａ1    外袋部
２Ａ2    外袋部
３        中シ−ル部
４        内容物投入開口部
Ｐ        粉状体
Ｓ        柔軟シート
Ｗ        液状体
【図１】
2005067717.tif 000003
【図２】
2005067717.tif 000004
【図３】
2005067717.tif 000005
【図４】
2005067717.tif 000006
【図５】
2005067717.tif 000007
【図６】
2005067717.tif 000008
【図７】
2005067717.tif 000009
【図８】
2005067717.tif 000010
【図９】
2005067717.tif 000011
【図１０】
2005067717.tif 000012
【図１１】
2005067717.tif 000013
【図１２】
2005067717.tif 000014